【手続補正書】
【提出日】平成29年8月17日(2017.8.17)
【手続補正１】
【補正対象書類名】特許請求の範囲
【補正対象項目名】全文
【補正方法】変更
【補正の内容】
【特許請求の範囲】
【請求項１】
モバイルデバイスとターゲットピアとの間の通信を促進する方法であって、
モバイルデバイス上で実行しているプロキシにおいて、前記モバイルデバイスとターゲットピアとの間のリアルタイム通信接続を開始するための通信を受信することと、
前記ターゲットピアがオペレータコアネットワークに登録されているかどうかを決定することと、
前記ターゲットピアが前記オペレータコアネットワークに登録されている場合、前記プロキシにおいて、前記ターゲットピアの１つまたは複数の能力を決定することと、
前記プロキシにおいて、前記ターゲットピアとの前記セッションを開始することと、前記セッションは、前記ターゲットピアの前記１つまたは複数の決定された能力に基づく、
を備える方法。
【請求項２】
前記通信は、前記モバイルデバイス上で実行しているクライアントアプリケーションから送られる、請求項１に記載の方法。
【請求項３】
前記クライアントアプリケーションはブラウザである、請求項２に記載の方法。
【請求項４】
前記ターゲットピアがオンラインであるかどうかを決定するための通信を送ることと、
そのターゲットピアがオンラインであるかどうかを示す応答を受信することと、
をさらに備える、請求項１に記載の方法。
【請求項５】
前記ターゲットピアがオンラインであるかどうかを決定するための通信を送ることは、前記ターゲットピアがオンラインであるかどうかを決定するためにサーバが前記ターゲットピアに連絡を取ることを引き起こす通信を、前記サーバに送ることを含む、請求項４に記載の方法。
【請求項６】
前記モバイルデバイスはセルラーネットワークに結合される、請求項１に記載の方法。
【請求項７】
前記セルラーネットワークはＬＴＥネットワークである、請求項６に記載の方法。
【請求項８】
前記ターゲットピアがターゲットプロキシをリアルタイム通信に使用しているかどうかを決定することをさらに備える、請求項１に記載の方法。
【請求項９】
前記ターゲットピアが前記ターゲットプロキシをリアルタイム通信に使用していると決定されたとき、リアルタイム通信に対する代替方法を使用して前記ターゲットピアとのリアルタイム通信セッションを開始することをさらに備える、請求項８に記載の方法。
【請求項１０】
前記ターゲットピアが前記ターゲットプロキシをリアルタイム通信に使用していないと決定されたとき、リアルタイム通信に対する代替方法を使用して前記ターゲットピアとのリアルタイム通信セッションを開始することをさらに備える、請求項８に記載の方法。
【請求項１１】
リアルタイム通信に対する代替方法を使用して前記ターゲットピアとのリアルタイム通信セッションを開始することは、ボイスオーバーＬＴＥ接続を介して、前記ターゲットプロキシを通じて前記セッションをルーティングすることを含む、請求項１０に記載の方法。
【請求項１２】
前記ターゲットピアが前記ターゲットプロキシをリアルタイム通信に使用していると決定されたとき、前記ターゲットピアがアクティブなリアルタイム通信セッションを有しているかどうかを決定することと、
前記ターゲットピアが前記アクティブなリアルタイム通信セッションを有していると決定されたとき、前記ターゲットピアが前記リアルタイム通信セッションを開始することを引き起こすように、前記ターゲットピアに送られるべきメッセージをトリガすることと、をさらに備える、請求項８に記載の方法。
【請求項１３】
前記メッセージは、前記ターゲットピアが前記ターゲットピア上で所定のＵＲＬに向けてブラウザを開くことを引き起こす、請求項１２に記載の方法。
【請求項１４】
モバイルデバイス上で実行しているプロキシにおいて、前記モバイルデバイスとターゲットピアとの間のリアルタイム通信接続を開始するための通信を受信することと、
前記ターゲットピアがオペレータコアネットワークに登録されているかどうかを決定することと、
前記ターゲットピアが前記オペレータコアネットワークに登録されている場合、前記ターゲットピアの１つまたは複数の能力を決定することと、
前記プロキシにおいて、前記ターゲットピアとの前記セッションを開始することと、前記セッションは、前記ターゲットピアの前記１つまたは複数の決定された能力に基づく、
を備える動作を実行するためのコンピュータ実行可能命令を記憶したコンピュータ可読媒体。
【請求項１５】
モバイルデバイスとターゲットピアとの間の通信を促進するための装置であって、
前記モバイルデバイスにおいて、前記モバイルデバイスとターゲットピアとの間のリアルタイム通信接続を開始するための通信を受信するための手段と、
前記ターゲットピアがオペレータコアネットワークに登録されているかどうかを決定するための手段と、
前記ターゲットピアが前記オペレータコアネットワークに登録されている場合、前記ターゲットピアの１つまたは複数の能力を決定するための手段と、
前記ターゲットピアとのセッションを開始するための手段と、前記セッションは、前記ターゲットピアの前記１つまたは複数の決定された能力に基づく、
を備える装置。
【手続補正２】
【補正対象書類名】明細書
【補正対象項目名】００６３
【補正方法】変更
【補正の内容】
【００６３】
[0070]開示された実施形態の上記の説明は、当業者が、開示された実施形態を作成または使用することができるように与えられる。これらの実施形態に対する様々な修正は、当業者には容易に明らかであり、本明細書で定義されている原理は、本開示の範囲から逸脱することなく、他の実施形態に適用され得る。したがって、本開示は、本明細書に示されている実施形態に限定されることを意図されておらず、以下の特許請求の範囲によって定義される原理および新規な特徴と一致する可能な最も広い範囲を与えられるべきである。したがって、本開示は特許請求の範囲のみによって限定される。
以下に本願の出願当初の特許請求の範囲に記載された発明を付記する。
［Ｃ１］
モバイルデバイスとターゲットピアとの間の通信を促進する方法であって、
モバイルデバイス上で実行しているプロキシにおいて、ターゲットピアとのリアルタイム通信接続を開始するための通信を受信することと、
前記ターゲットピアの１つまたは複数の能力を決定することと、
前記ターゲットピアとのセッションを開始することと、前記セッションは、前記ターゲットピアの前記１つまたは複数の決定された能力に基づく、
を備える方法。
［Ｃ２］
前記通信は、前記モバイルデバイス上で実行しているクライアントアプリケーションから送られる、Ｃ１に記載の方法。
［Ｃ３］
前記クライアントアプリケーションはブラウザである、Ｃ２に記載の方法。
［Ｃ４］
前記モバイルデバイスは、スマートフォン、タブレット、ラップトップ、またはパーソナルデジタルアシスタントである、Ｃ１に記載の方法。
［Ｃ５］
前記ターゲットピアがオンラインであるかどうかを決定するための通信を送ることと、  そのターゲットピアがオンラインであるかどうかを示す応答を受信することと、
をさらに備える、Ｃ１に記載の方法。
［Ｃ６］
前記ターゲットピアがオンラインであるかどうかを決定するための通信を送ることは、前記ターゲットピアがオンラインであるかどうかを決定するためにサーバが前記ターゲットピアに連絡を取ることを引き起こす通信を、前記サーバに送ることを含む、Ｃ５に記載の方法。
［Ｃ７］
前記モバイルデバイスはセルラーネットワークに結合される、Ｃ１に記載の方法。
［Ｃ８］
前記セルラーネットワークはＬＴＥネットワークである、Ｃ７に記載の方法。
［Ｃ９］
前記ターゲットピアがターゲットプロキシをリアルタイム通信に使用しているかどうかを決定することをさらに備える、Ｃ１に記載の方法。
［Ｃ１０］
前記ターゲットピアが前記ターゲットプロキシをリアルタイム通信に使用していると決定されたとき、リアルタイム通信に対する代替方法を使用して、前記ターゲットピアとのリアルタイム通信セッションを開始することをさらに備える、Ｃ９に記載の方法。
［Ｃ１１］
前記ターゲットピアが前記ターゲットプロキシをリアルタイム通信に使用していないと決定されたとき、リアルタイム通信に対する代替方法を使用して前記ターゲットピアとのリアルタイム通信セッションを開始することをさらに備える、Ｃ９に記載の方法。
［Ｃ１２］
リアルタイム通信に対する代替方法を使用して前記ターゲットピアとのリアルタイム通信セッションを開始することは、ボイスオーバーＬＴＥ接続を介して、前記ターゲットプロキシを通じて前記セッションをルーティングすることを含む、Ｃ１１に記載の方法。
［Ｃ１３］
前記ターゲットピアが前記ターゲットプロキシをリアルタイム通信に使用していると決定されたとき、前記ターゲットピアがアクティブなリアルタイム通信セッションを有しているかどうかを決定することと、
前記ターゲットピアが前記アクティブなリアルタイム通信セッションを有していると決定されたとき、前記ターゲットピアが前記リアルタイム通信セッションを開始することを引き起こすように、前記ターゲットピアに送られるべきメッセージをトリガすることと、をさらに備える、Ｃ９に記載の方法。
［Ｃ１４］
前記メッセージは、前記ターゲットピアが前記ターゲットピア上で所定のＵＲＬに向けてブラウザを開くことを引き起こす、Ｃ１３に記載の方法。
［Ｃ１５］
モバイルデバイスとターゲットピアとの間の通信を促進するためのシステムであって、  モバイルデバイス上で実行可能な通信モジュールと、ここにおいて、前記通信モジュールは、ターゲットピアとのリアルタイム通信接続を開始するための通信を受信する、
前記モバイルデバイス上で実行可能な能力モジュールと、ここにおいて、前記能力モジュールは、前記ターゲットピアの１つまたは複数の能力を決定し、前記ターゲットピアとのセッションを開始し、前記セッションは、前記ターゲットピアの前記１つまたは複数の決定された能力に基づく、
を備えるシステム。
［Ｃ１６］
前記通信モジュールは、前記モバイルデバイス上で実行しているクライアントアプリケーションから前記通信を受信し、前記クライアントアプリケーションはブラウザであり、前記モバイルデバイスは、スマートフォン、タブレット、ラップトップ、またはパーソナルデジタルアシスタントである、Ｃ１５に記載のシステム。
［Ｃ１７］
前記モバイルデバイスはセルラーネットワークに結合される、Ｃ１５に記載のシステム。
［Ｃ１８］
前記能力モジュールは、前記ターゲットピアがターゲットプロキシをリアルタイム通信に使用しているかどうかを決定する、Ｃ１５に記載のシステム。
［Ｃ１９］
前記ターゲットピアが前記ターゲットプロキシをリアルタイム通信に使用していないと決定されたとき、前記能力モジュールは、リアルタイム通信に対する代替方法を使用して、前記ターゲットピアとのリアルタイム通信セッションを開始する、Ｃ１８に記載のシステム。
［Ｃ２０］
前記モバイルデバイスはＬＴＥセルラーネットワークに結合され、前記ターゲットピアが前記ターゲットプロキシをリアルタイム通信に使用していないと決定されたとき、前記能力は、ボイスオーバーＬＴＥ接続を介して、前記ターゲットプロキシを通じて前記セッションをルーティングする、Ｃ１９に記載のシステム。
［Ｃ２１］
モバイルデバイス上で実行しているプロキシにおいて、ターゲットピアとのリアルタイム通信接続を開始するための通信を受信することと、
前記ターゲットピアの１つまたは複数の能力を決定することと、
前記ターゲットピアとのセッションを開始することと、前記セッションは、前記ターゲットピアの前記１つまたは複数の決定された能力に基づく、
を備える動作を実行するためのコンピュータ実行可能命令を記憶したコンピュータ可読媒体。
［Ｃ２２］
モバイルデバイスとターゲットピアとの間の通信を促進するための装置であって、
ターゲットピアとのリアルタイム通信接続を開始するための通信を受信するための手段と、
前記ターゲットピアの１つまたは複数の能力を決定するための手段と、
前記ターゲットピアとのセッションを開始するための手段と、前記セッションは、前記ターゲットピアの前記１つまたは複数の決定された能力に基づく、
を備える装置。